(57)【特許請求の範囲】
【請求項１】
低耐圧冷媒配管への接続時に設定され、リニューアル機として低い圧力で運転する第１運転モードと、高耐圧冷媒配管への接続時に設定され、第１運転モードの圧力よりも高い圧力で運転する第２運転モードとを備え、高圧冷媒配管に、機械式接点を有した圧縮機保護用の第１高圧スイッチと、圧力センサと、第１高圧スイッチの動作圧力よりも低く、第１運転モード時の高圧よりも若干低い圧力で動作する機械式接点を有した第２高圧スイッチとを備えた空気調和装置において、
前記高圧スイッチが動作したときに、第１，第２高圧スイッチのうち、いずれのスイッチが動作したかを、前記圧力センサの検知値に基づいて判定する判定部と、
前記判定部により第２高圧スイッチの動作であると判定されたときに、前記第１運転モードに強制的に切り替える制御部とを
備えたことを特徴とする空気調和装置。
【請求項２】
前記第２高圧スイッチは、室外機の室外熱交換器と室内機とを接続する液管に設けられる冷房用高圧スイッチと、室外機の圧縮機の吐出口と前記室内機とを接続するガス管に設けられる暖房用高圧スイッチとを有することを特徴とする請求項１記載の空気調和装置。
【請求項３】
前記冷房用高圧スイッチは、暖房時に冷媒を膨張させる膨張弁よりも前記室内機側に設けられ、前記暖房用高圧スイッチは、冷房と暖房とを切り替える四方弁よりも前記室内機側に設けられていることを特徴とする請求項２記載の空気調和装置。
【請求項４】
前記第１高圧スイッチ及び前記圧力センサは、前記圧縮機の前記吐出口の近傍に設けられていることを特徴とする請求項２または３のいずれかに記載の空気調和装置。
【請求項５】
前記第２高圧スイッチが動作する冷媒の圧力は、前記室内機と前記室外機とを接続する接続配管の耐圧基準値に対応して設定されていることを特徴とする請求項２から４のいずれかに記載の空気調和装置。
【請求項６】
前記制御部によって前記第１運転モードに切り替えられた場合に、点検が必要であることを報知する表示部を備えたことを特徴とする請求項１から５のいずれかに記載の空気調和装置。
【発明の詳細な説明】
【技術分野】
【０００１】
本発明は、複数の高圧スイッチを備えた空気調和装置に関する。
【背景技術】
【０００２】
従来、空気調和装置において、既設の空気調和装置の冷媒配管を利用して、空気調和装置をリニューアル機として設置するものが知られている（例えば、特許文献１参照）。
この種のものでは、従来、低耐圧冷媒配管への接続時に設定され、リニューアル機として低い圧力で運転する第１運転モードと、高耐圧冷媒配管への接続時に設定され、第１運転モードの圧力よりも高い圧力で運転する第２運転モードとを備え、高圧冷媒配管に、機械式接点を有した圧縮機保護用の第１高圧スイッチと、圧力センサと、第１高圧スイッチの動作圧力よりも低く、第１運転モード時の高圧よりも若干低い圧力で動作する機械式接点を有した第２高圧スイッチとを備えている。
【先行技術文献】
【特許文献】
【０００３】
【特許文献１】特開２００７−２３２２８６号公報
【発明の概要】
【発明が解決しようとする課題】
【０００４】
しかし、上記従来の構成では、リニューアル機として第１運転モードに設定して運転すべきところ、誤って第２運転モードに設定して運転した場合、第２高圧スイッチが作動して空気調和装置の運転が緊急停止される。このとき、空気調和装置のマイコンは第１，第２高圧スイッチのうち、いずれの高圧スイッチが動作したかを判断できないため、空気調和装置の停止原因が分からず、復旧に手間がかかっていた。
運転モードの誤設定に気付いたときには、その設定を改めた後に、運転を再起動すればよいが、運転モードの誤設定に気付かずに、再運転した場合には、空気調和装置の運転が、再び緊急停止され、停止が頻繁に起こる課題があった。
そこで、本発明の目的は、上述した従来の技術が有する課題を解消し、高圧スイッチの動作によって空気調和装置が停止したとき、簡単に復旧できるようにした空気調和装置を提供することにある。
【課題を解決するための手段】
【０００５】
上記目的を達成するため、本発明は、低耐圧冷媒配管への接続時に設定され、リニューアル機として低い圧力で運転する第１運転モードと、高耐圧冷媒配管への接続時に設定され、第１運転モードの圧力よりも高い圧力で運転する第２運転モードとを備え、高圧冷媒配管に、機械式接点を有した圧縮機保護用の第１高圧スイッチと、圧力センサと、第１高圧スイッチの動作圧力よりも低く、第１運転モード時の高圧よりも若干低い圧力で動作する機械式接点を有した第２高圧スイッチとを備えた空気調和装置において、前記高圧スイッチが動作したときに、第１，第２高圧スイッチのうち、いずれのスイッチが動作したかを、前記圧力センサの検知値に基づいて判定する判定部と、前記判定部により第２高圧スイッチの動作であると判定されたときに、前記第１運転モードに強制的に切り替える制御部とを備えた。
【０００６】
上記構成において、前記第２高圧スイッチは、室外機の室外熱交換器と室内機とを接続する液管に設けられる冷房用高圧スイッチと、室外機の圧縮機の吐出口と前記室内機とを接続するガス管に設けられる暖房用高圧スイッチとを有する構成としても良い。
また、前記冷房用高圧スイッチは、暖房時に冷媒を膨張させる膨張弁よりも前記室内機側に設けられ、前記暖房用高圧スイッチは、冷房と暖房とを切り替える四方弁よりも前記室内機側に設けられていても良い。
【０００７】
また、前記第１高圧スイッチ及び前記圧力センサは、前記圧縮機の前記吐出口の近傍に設けられていても良い。
さらに、前記第２高圧スイッチが動作する冷媒の圧力は、前記室内機と前記室外機とを接続する接続配管の耐圧基準値に対応して設定されていても良い。
さらにまた、前記制御部によって前記第１運転モードに切り替えられた場合に、点検が必要であることを報知する表示部を備えた構成としても良い。
【発明の効果】
【０００８】
本発明によれば、高圧スイッチの動作によって空気調和装置が停止したとき、簡単に復旧できるようにした空気調和装置を提供できる。
【図面の簡単な説明】
【０００９】
【図１】本発明の実施の形態のガスヒートポンプ式の空気調和装置の構成を示す図である。
【図２】制御装置の概要構成を示すブロック図である。
【図３】運転モードの切り替え処理を示すフローチャートである。
【発明を実施するための形態】
【００１０】
以下、図面を参照して本発明の好適な実施の形態について説明する。
図１は、本発明の実施の形態のガスヒートポンプ（ＧＨＰ）式の空気調和装置１００の構成を示す図である。まず、空気調和装置１００の冷媒回路１０の構成を説明する。
空気調和装置１００は、建物に既に設置されている古い空気調和装置を新たな空気調和装置に入れ替える場合等に、既に設置されている空気調和装置の配管を利用して設置（以下、リニューアル設置と呼ぶ）される空気調和装置であり、いわゆるリニューアルタイプの空気調和装置である。また、空気調和装置１００はリニューアルタイプの空気調和装置であるが、既に設置されている配管を使用せずに、新たな配管を用いて設置することもできる。
【００１１】
空気調和装置１００は、室外に設置される室外機１１と、室内に設置される複数台（例えば５台）の室内機１２Ａ〜１２Ｅとを有し、室外機１１の室外冷媒配管１３（高圧冷媒配管）と室内機１２Ａ〜１２Ｅの各室内冷媒配管１４Ａ〜１４Ｅとが、接続配管７０（低耐圧冷媒配管）によって接続されている。接続配管７０は、既設の古い空気調和装置の配管であり、室外機１１及び室内機１２Ａ〜１２Ｅが建物に新たに設置される。このように、既に設置されていた接続配管７０に室外機１１及び室内機１２Ａ〜１２Ｅを接続するため、新たに建物等に配設しなければならない配管が削減され、空気調和装置１００を簡単に設置することができる。
【００１２】
図１に示す様に、室外冷媒配管１３には圧縮機１５が配設されている。圧縮機１５は、Ｖベルト４０Ａを介してガスエンジン４０に連結され、このガスエンジン４０により動力が伝達されて駆動される。ガスエンジン４０には、燃料と空気とを混合した混合気をガスエンジン４０の燃焼室に供給する燃料供給装置４１が接続され、ガスエンジン４０の排気側には後述する排気ガス熱交換器５２が付設されており、排気ガス熱交換器５２には、排気ホース５２Ａを介して、排気マフラー５２Ｂが接続されている。この排気マフラー５２Ｂには排気トップ５２Ｃおよび中和装置５２Ｄが接続されている。
【００１３】
室外冷媒配管１３の圧縮機１５の吸入側には、アキュムレーター１６が配設されており、吐出側にはオイルセパレーター１７を介して四方弁１８、室外熱交換器１９、室外膨張弁２０（膨張弁）、サブクーラ２１、ドライコア２２が順次配設されている。また、室外膨張弁２０はバイパス管２３によりバイパスされており、このバイパス管２３には逆止弁２４が配設されている。また、室外熱交換器１９には、この室外熱交換器１９へ向かって送風する室外ファン２５が隣接して配置されている。また、室外熱交換器１９に隣接してラジエータ５４が配置されている。
【００１４】
室外冷媒配管１３の冷媒高圧側（圧縮機１５の吐出側）と冷媒低圧側（図示の例ではアキュムレーター１６の手前）との間には、オイル戻し管２６およびバイパス弁２７が接続されている。また、室外冷媒配管１３において圧縮機１５の吐出側の吐出側配管１３Ｃには、圧縮機１５の吐出側の冷媒の圧力が所定圧を超える高圧に達した場合に動作する圧縮機保護用の第１高圧スイッチ７１、及び、圧縮機１５の吐出口１５Ａの近傍の冷媒の圧力を検出する圧力センサ８１が設けられている。圧縮機１５の吸い込み側にも、吸い込み側の圧力を検出する吸込側圧力センサ８２が設けられている。
【００１５】
室外冷媒配管１３において、室外熱交換器１９と接続配管７０との間の部分の配管は、冷房運転時に室外熱交換器１９で凝縮された高圧の液冷媒が通る液管１３Ａである。液管１３Ａには、液管１３Ａ内の冷媒が所定圧を超える高圧に達した場合に動作する液管高圧スイッチ７４（冷房用高圧スイッチ）が設けられている。液管高圧スイッチ７４は、接続配管７０と室外膨張弁２０との間に設けられ、室外膨張弁２０よりも室内機１２Ａ〜１２Ｅ側に位置している。
【００１６】
室外冷媒配管１３において、圧縮機１５と接続配管７０との間の部分の配管は、暖房運転時に圧縮機１５で圧縮された高圧のガス冷媒が通るガス管１３Ｂである。ガス管１３Ｂには、ガス管１３Ｂ内の冷媒が所定圧を超える高圧に達した場合に動作するガス管高圧スイッチ７５（暖房用高圧スイッチ）が設けられている。ガス管高圧スイッチ７５は、接続配管７０と四方弁１８との間に設けられ、四方弁１８よりも室内機１２Ａ〜１２Ｅ側に位置している。
液管高圧スイッチ７４及びガス管高圧スイッチ７５が動作する所定圧は、接続配管７０の耐圧基準値に対応して、接続配管７０の耐圧基準値の近傍の圧力に設定されている。
【００１７】
液管高圧スイッチ７４及びガス管高圧スイッチ７５は、第１高圧スイッチ７１の動作圧力よりも低い圧力で動作する第２高圧スイッチ７２を構成している。
第１高圧スイッチ７１、液管高圧スイッチ７４、及び、ガス管高圧スイッチ７５は、冷媒配管内の圧力により動作する機械式接点を有した高圧スイッチであり、第１高圧スイッチ７１、液管高圧スイッチ７４、及び、ガス管高圧スイッチ７５のいずれかが動作すると該スイッチの導通が遮断されるに伴ってガスエンジン４０が強制的に停止され、圧縮機１５も停止する。
【００１８】
一方、各室内機１２Ａ〜１２Ｅは、各室内冷媒配管１４Ａ〜１４Ｅにそれぞれ室内熱交換器２９Ａ〜２９Ｅが配設される。また、各室内冷媒配管１４Ａ〜１４Ｅには、各室内熱交換器２９Ａ〜２９Ｅの近傍にそれぞれ室内膨張弁３０Ａ〜３０Ｅが配設される。各室内熱交換器２９Ａ〜２９Ｅには、それぞれ室内ファン３１Ａ〜３１Ｅが隣接して配置されており、各室内ファン３１Ａ〜３１Ｅはそれぞれ各室内熱交換器２９Ａ〜２９Ｅに送風する。
【００１９】
空気調和装置１００では、四方弁１８を切り替えることにより、冷房運転または暖房運転が切り替えられる。四方弁１８が冷房側に切り替えられたときには、図１に示す実線矢印に沿って冷媒が流れ、室外熱交換器１９が凝縮器に、室内熱交換器２９Ａ〜２９Ｅが蒸発器になり、圧縮機１５から吐出された冷媒は、四方弁１８、室外熱交換器１９、液管１３Ａ、接続配管７０、各室内熱交換器２９Ａ〜２９Ｅ、接続配管７０、ガス管１３Ｂ及び四方弁１８の順に通り、圧縮機１５の吸い込み側に戻り、各室内熱交換器２９Ａ〜２９Ｅが室内を冷房する冷房運転状態となる。冷房運転時では、空調負荷に応じて、室内膨張弁３０Ａ〜３０Ｅのそれぞれの弁開度が調整される。
【００２０】
また、四方弁１８が暖房側に切り替えられたときには、図１に示す破線矢印に沿って冷媒が流れ、室内熱交換器２９Ａ〜２９Ｅが凝縮器に、室外熱交換器１９が蒸発器になって、圧縮機１５から吐出された冷媒は、四方弁１８、ガス管１３Ｂ、接続配管７０、各室内熱交換器２９Ａ〜２９Ｅ、接続配管７０、液管１３Ａ、室外膨張弁２０、室外熱交換器１９及び四方弁１８の順に通り、圧縮機１５の吸い込み側に戻り、各室内熱交換器２９Ａ〜２９Ｅが室内を暖房する暖房運転状態となる。暖房運転時では、空調負荷に応じて、室外膨張弁２０及び室内膨張弁３０Ａ〜３０Ｅのそれぞれの弁開度が調整される。
【００２１】
次に、ガスエンジン４０を冷却するための冷却水回路５０の構成を説明する。冷却水回路５０では、ガスエンジン４０の廃熱を回収するために、冷却水配管５１に排気ガス熱交換器５２と、プレート熱交換器５３と、ラジエータ５４とが設けられている。
ここで、排気ガス熱交換器５２は、ガスエンジン４０の排気ガスと冷却水との間で熱交換させる熱交換器である。プレート熱交換器５３は、冷媒回路１０内の冷媒と冷却水回路５０内の冷却水との間で熱交換を行う冷却水・冷媒熱交換器である。このプレート熱交換器５３は、室外冷媒配管１３の四方弁１８と圧縮機１５との間に配置され、暖房運転時に、プレート熱交換器５３をサブエバポレータとして機能させることにより、暖房能力の維持及び増強を図ることができる。ラジエータ５４は、ガスエンジン４０の排熱を回収した冷却水を冷却させるものである。
【００２２】
冷却水配管５１には第１三方弁５５が設けられ、この第１三方弁５５の入口５５Ａには、冷却水配管５１を介してガスエンジン４０の冷却水出口４０Ｂが接続され、第１三方弁５５の一方の出口５５Ｂには、冷却水を循環させるための電動式の循環ポンプ５７と排気ガス熱交換器５２とが順次接続されている。また、第１三方弁５５の他方の出口５５Ｃには、流量調整式の三方弁である第２三方弁５６の入口５６Ａが接続されている。第２三方弁５６の一方の出口５６Ｂにはプレート熱交換器５３が接続されており、他方の出口５６Ｃには、ラジエータ５４が接続されている。第１三方弁５５を介して流入した高温の冷却水は、この第２三方弁５６により、プレート熱交換器５３とラジエータ５４とのいずれか一方、若しくは、分流比を変更して両方に導かれる。
また、冷却水回路５０には、冷却水補充弁５８を介してリザーブタンク５９が接続されている。このリザーブタンク５９は、冷却水回路５０内の冷却水が水漏れ等により減少した場合に、冷却水回路５０の内圧が重力により自動的に冷却水を補充するように調整されている。
【００２３】
次に、図２を参照して、空気調和装置１００の各構成要素を制御する制御装置６０について説明する。図２は、制御装置６０の概要構成を示すブロック図である。
制御装置６０は、室外機１１に設けられており、図２に示すように、制御装置６０全体を制御するＣＰＵ６１と、各種情報を表示する表示機能及び操作子（例えば、基板上に設けられるディップスイッチ等）を有する表示・操作部６２（表示部）と、本発明に係る運転モードの切り替え処理のプログラム等を含む制御プログラムや、その他各種情報が記憶される記憶部としてのＥＥＰＲＯＭ６３と、外部機器との間で通信を行うインターフェース部６４と、第１三方弁５５や第２三方弁５６等の各種の電動弁が配線接続される複数の出力ポート（不図示）と、第１三方弁５５や第２三方弁５６等の弁開位置の切り替えや弁開度の制御等を行うための電動弁駆動部６５とを備えている。
【００２４】
ＣＰＵ６１は、後述する運転モードを切り換える制御部６１Ａと、第１高圧スイッチ７１及び第２高圧スイッチ７２のうち、いずれの高圧スイッチが動作したかを圧力センサ８１の検知値に基づいて判定する判定部６１Ｂとを備えている。
表示・操作部６２は、空気調和装置１００の運転状態等の情報を表示する画面や操作ボタン等を備えたリモコン（不図示）を備えている。ＥＥＰＲＯＭ６３は不揮発性メモリーである。
【００２５】
第１高圧スイッチ７１、第２高圧スイッチ７２である液管高圧スイッチ７４及びガス管高圧スイッチ７５、圧力センサ８１及び吸込側圧力センサ８２は、ＣＰＵ６１に配線接続されている。詳細には、ＣＰＵ６１は、第１高圧スイッチ７１、液管高圧スイッチ７４及びガス管高圧スイッチ７５のいずれかが動作して導通が遮断されたことを認識するが、これら高圧スイッチ７１、７４、７５は機械式のスイッチであるため、どのスイッチが動作したのかは認識しない。
また、圧力センサ８１は、吐出側配管１３Ｃの圧力をＣＰＵ６１に常時出力する。
【００２６】
空気調和装置１００がリニューアル機としてリニューアル設置される場合に用いられる既設の接続配管７０の耐圧力は、空気調和装置１００で用いられている冷媒が到達する高圧側の圧力よりも低い。
本実施の形態の空気調和装置１００は、リニューアル機として設置される場合に、接続配管７０に許容される冷媒の圧力に対応し、冷媒圧力を低く設定して運転を制御する第１の運転モードとしての低圧力運転モード（第１運転モード）、及び、接続配管７０よりも高い耐圧力を有する新規の高耐圧冷媒配管（不図示）に接続される場合に対応し、冷媒圧力を高く設定して運転を制御する第２の運転モードとしての高圧力運転モード（第２運転モード）を設定可能である。このため、空気調和装置１００は、上記低圧力運転モードを選択して運転することで、接続配管７０の耐圧力より低圧で運転でき、リニューアル設置に対応することができる。
【００２７】
空気調和装置１００の制御装置６０は、圧力センサ８１による冷媒圧力の検知値が第１高圧スイッチ７１の動作圧力よりも低いにも拘わらず、第２高圧スイッチ７２の動作による空気調和装置１００の運転停止が行なわれたときに、空気調和装置１００がリニューアル設置されていると判断し、強制的に低圧力運転モードに切り替えを行なう。
【００２８】
具体的には、一例として、接続配管７０の耐圧基準値は３．３（ＭＰａ）、ガス管高圧スイッチ７５が動作する圧力は３．３（ＭＰａ）、液管高圧スイッチ７４が動作する圧力は３．５（ＭＰａ）、第１高圧スイッチ７１が動作する圧力は４．０５（ＭＰａ）である。そして、低圧力運転モードでは、接続配管７０の耐圧基準値である３．３（ＭＰａ）を超えない圧力の範囲となるように空気調和装置１００の運転が制御される。
低圧力運転モードでは、通常、第２高圧スイッチ７２の動作圧力よりも低い圧力となるように運転されるが、異常時等には、冷媒は３．５（ＭＰａ）を超える高圧に達し、第２高圧スイッチ７２が動作する。すなわち、第２高圧スイッチ７２は低圧力運転モードにおける高圧よりも若干低い圧力で動作する高圧スイッチである。
【００２９】
以下、運転モードの切り替え処理について詳細に説明する。
図３は、運転モードの切り替え処理を示すフローチャートである。
まず、運転モードの切り替え処理に際して、ＣＰＵ６１は、空気調和装置１００が低圧力運転モードに設定されているか否かを判別する（ステップＳ１）。空気調和装置１００が低圧力運転モードで運転されていると判別された場合（ステップＳ１：Ｙｅｓ）、ＣＰＵ６１は、運転モードの切り替え処理を終了する。ここで、運転モードの切り替え処理は、一例として、２０（ｍｓｅｃ）毎に行なわれている。
【００３０】
空気調和装置１００が低圧力運転モードで運転されていないと判断された場合（ステップＳ１：Ｎｏ）、ＣＰＵ６１は、第１及び第２高圧スイッチ７１、７２のいずれかが動作してガスエンジン４０が停止されたか否かを判別する（ステップＳ２）。次に、第１及び第２高圧スイッチ７１、７２のいずれかの動作によりガスエンジン４０が停止されていないと判別された場合（ステップＳ２：Ｎｏ）、ＣＰＵ６１は、運転モードの切り替え処理を終了する。
【００３１】
第１及び第２高圧スイッチ７１、７２のいずれかが動作してガスエンジン４０が停止されたと判別された場合（ステップＳ２：Ｙｅｓ）、ＣＰＵ６１の判定部６１Ｂは、第１及び第２高圧スイッチ７１、７２のいずれかが動作したときの圧力センサ８１の検知値が所定値、本実施の形態では３．６（ＭＰａ）より小さいか否かを判別する（ステップＳ３）。ここでは、圧力センサ８１の所定値は３．６（ＭＰａ）であるが、この所定値は、第１高圧スイッチ７１の動作圧力よりも低く設定されていれば良い。
圧力センサ８１の検知値が３．６（ＭＰａ）よりも小さくない場合（ステップＳ３：Ｎｏ）、すなわち、第１高圧スイッチ７１の動作によってガスエンジン４０が停止された場合、ＣＰＵ６１は、運転モードの切り替え処理を終了する。この場合、圧縮機１５の近傍の異常等によって吐出側配管１３Ｃの圧力が増加している。
【００３２】
そして、圧力センサ８１の検知値が３．６（ＭＰａ）よりも小さい場合（ステップＳ３：Ｙｅｓ）、判定部６１Ｂは、液管高圧スイッチ７４及びガス管高圧スイッチ７５のいずれかの動作によってガスエンジン４０が停止されたものと判断すると共に、この結果に基づいて、制御部６１Ａは、空気調和装置１００がリニューアル機であるとみなし、空気調和装置１００を低圧力運転モードに強制的に切り替える（ステップＳ４）。このように、判定部６１Ｂは、第１高圧スイッチ７１または第２高圧スイッチ７２が動作して運転が停止されたときに、圧力センサ８１の検知値に基づいて、第２高圧スイッチ７２の動作であると判定し、これに基づいて、制御部６１Ａは低圧力運転モードに強制的に切り替える。これにより、次回の運転時に、低圧力運転モード時の高圧よりも若干低い圧力で動作する第２高圧スイッチ７２が動作して空気調和装置１００が再び停止されることを防止できるため、空気調和装置１００を停止状態から簡単に復旧させることができる。
【００３３】
また、制御部６１Ａが空気調和装置１００をリニューアル機とみなした場合には、低圧力運転モードに強制的に切り換えられるため、運転モードが誤設定であったことに気付かずに再運転されたとしても、空気調和装置１００が第２高圧スイッチ７２によって再び停止されることが無く、空気調和装置１００が頻繁に停止されることを防止できる。さらに、空気調和装置１００が出荷時に高圧力運転モードで出荷されてリニューアル機として設置されたとしても、空気調和装置１００を運転することで第２高圧スイッチ７２が動作し、制御装置６０によって低圧力運転モードに強制的に切り替えられるため、空気調和装置１００の初期設定の手間を省くことができる。
また、液管高圧スイッチ７４及びガス管高圧スイッチ７５によって冷媒の高圧を検知するため、冷房運転及び暖房運転の両方の高圧状態を確実に検知することができる。
【００３４】
その後、ＣＰＵ６１は、表示・操作部６２のリモコンに、ユーザーやサービスマン等に対し点検を促す表示を表示させ（ステップＳ５）、運転モードの切り替え処理を終了する。第１及び第２高圧スイッチ７１、７２が動作した場合は、第１及び第２高圧スイッチ７１、７２及び圧力センサ８１の異常であることも考えられるため、サービスマンは、第１及び第２高圧スイッチ７１、７２及び圧力センサ８１等の状態を確認する。
【００３５】
また、空気調和装置１００は、ステップＳ２でＮｏの場合のように、低圧力運転モードで運転されていない場合は、高圧力運転モードで運転されている。この場合、空気調和装置１００は、新規の高耐圧冷媒配管（不図示）に接続されているとともに、第２高圧スイッチ７２が設けられていない。このため、第２高圧スイッチ７２の動作圧力を超える冷媒圧力で運転することができる。また、４．０５（ＭＰａ）で動作する第１高圧スイッチ７１が動作したとしても、このときの圧力センサ８１の検知値が３．６（ＭＰａ）よりも小さくない場合は、制御部６１Ａは低圧力運転モードに切り替えないため、低圧力運転モードに切り替えないようにするために制御装置６０を変更する必要が無い。このため、新規の高耐圧冷媒配管を用いて空気調和装置１００を新設する場合に、空気調和装置１００を大きく変更することなく新設できる。
【００３６】
以上説明したように、本実施の形態によれば、圧力センサ８１の検知値が、第１高圧スイッチ７１の動作圧力よりも低い圧力であるにも拘わらず、第１高圧スイッチ７１または第２高圧スイッチ７２が動作して運転が停止されたときに、判定部６１Ｂが第２高圧スイッチ７２の動作であると判定し、制御部６１Ａが低圧力運転モードに強制的に切り替えるため、次回の運転時に、低圧力運転モード時の高圧よりも若干低い圧力で動作する第２高圧スイッチ７２が動作して空気調和装置１００が再び停止されることを防止でき、空気調和装置１００を停止状態から簡単に復旧させることができる。
また、液管１３Ａに液管高圧スイッチ７４が設けられ、ガス管１３Ｂにガス管高圧スイッチ７５が設けられるため、冷房及び暖房の両方の運転に対応して冷媒の高圧状態を検知でき、第２高圧スイッチ７２の動作によって運転が停止されたときには、制御部６１Ａによって低圧力運転モードに強制的に切り替えることができる。
【００３７】
また、液管高圧スイッチ７４が室外膨張弁２０よりも室内機１２Ａ〜１２Ｅ側に設けられているため、液管高圧スイッチ７４が室外膨張弁２０に影響されることを防止でき、室内機１２Ａ〜１２Ｅ側に近い冷媒の圧力で液管高圧スイッチ７４を動作させることができるため、液管高圧スイッチ７４を正確に動作させることができる。また、ガス管高圧スイッチ７５が四方弁１８よりもよりも室内機１２Ａ〜１２Ｅ側に設けられているため、ガス管高圧スイッチ７５が四方弁１８に影響されることを防止でき、室内機１２Ａ〜１２Ｅ側に近い冷媒の圧力でガス管高圧スイッチ７５を動作させることができるため、ガス管高圧スイッチ７５を正確に動作させることができる。
【００３８】
さらに、第１高圧スイッチ７１及び圧力センサ８１が圧縮機１５の吐出口１５Ａの近傍に設けられているため、圧縮機１５が発生させる圧力をより正確に検知でき、この検知の結果に基づいて第２高圧スイッチ７２の動作であることを正確に判定し、低圧力運転モードに強制的に切り替えることができる。
さらにまた、第２高圧スイッチ７２が室内機１２Ａ〜１２Ｅと室外機１１とを接続する接続配管７０の耐圧基準値に対応して設定されているため、既設の接続配管７０を利用するリニューアル機に対応し、第２高圧スイッチ７２の動作によって運転が停止されたときには、制御部６１Ａによって低圧力運転モードに強制的に切り替えることができる。
また、低圧力運転モードに強制的に切り替えられたことを、表示・操作部６２によって報知することができる。
【００３９】
以上、本発明の一実施形態について説明したが、本発明はこれに限定されるものではなく、種々の変更実施が可能である。
例えば、以上の実施形態においては、圧縮機１５は、ガスエンジン４０により駆動されるものとして説明したが、本発明はこれに限定されるものではなく、圧縮機１５をモータにより駆動する構成とし、第１高圧スイッチ７１及び第２高圧スイッチ７２が動作した場合には、圧縮機１５を直接停止させても良い。
【符号の説明】
【００４０】
１１  室外機
１２Ａ〜１２Ｅ  室内機
１３  室外冷媒配管（高圧冷媒配管）
１３Ａ  液管
１３Ｂ  ガス管
１５  圧縮機
１５Ａ  吐出口
１８  四方弁
１９  室外熱交換器
２０  室外膨張弁（膨張弁）
６０Ａ  制御部
６０Ｂ  判定部
６２  表示・操作部（表示部）
７０  接続配管（低耐圧冷媒配管）
７１  第１高圧スイッチ
７２  第２高圧スイッチ
７４  液管高圧スイッチ（冷房用高圧スイッチ）
７５  ガス管高圧スイッチ（暖房用高圧スイッチ）
８１  圧力センサ
１００  空気調和装置
【図１】
0005450208.tif 000002
【図２】
0005450208.tif 000003
【図３】
0005450208.tif 000004